(57)【要約】【課題】  太陽電池の濃紫色が見えず、且つ、金属感を持つ見返しリングが付いた太陽電池付時計を提供する。【解決手段】  風防ガラス２１と文字板２５との間で、文字板２５の外周周縁に、内側から金属部材よりなる第１の見返しリング３３、透光性樹脂よりなる第２の見返しリング３４、可撓性を有する太陽電池３２の順に配設し、第２の見返しリング３４と太陽電池３２は接着により接合し、第１の見返しリング３３と第２の見返しリング３４との係合面をプリズム形状面にし、金属反射膜を配設して接合する。そして、第２の見返しリング３４の上面外周部に突出部を設けて、この突出部を防水パッキン２２を介して風防ガラス２１を固定する時計ケース２７の突起部の下面に当接させ、見返しリングで風防ガラス２１を受ける。【選択図】    図１
2005249719.tif 000002
【特許請求の範囲】
【請求項１】
風防ガラスと文字板との間で、前記文字板の外周部に位置する見返しリングと、該見返しリングの外周に配設した太陽電池とを有する太陽電池付時計において、前記見返しリングは、少なくとも非透光性部材からなる第１の見返しリングと透光性部材からなる第２の見返しリングの複数の部材で構成され、前記第２の見返しリングは前記第１の見返しリングの外周側に配設されており、前記風防ガラスは前記見返しリングの上面側に載置されて時計ケースに固定されていることを特徴とする太陽電池付時計。
【請求項２】
前記第２の見返しリングはその上面側外周に突出部を有し、該突出部が前記風防ガラスを固定する前記時計ケースの上面突起部の下面に当接していることを特徴とする請求項１に記載の太陽電池付時計。
【請求項３】
前記突出部を有する第２の見返しリングと前記第１の見返しリングの少なくともいずれかに、前記風防ガラスを載置する風防ガラス受け面を有することを特徴とする請求項１又は請求項２に記載の太陽電池付時計。
【請求項４】
前記第１の見返しリング及び前記第２の見返しリングは、中枠を介して固定された前記文字板上の外周部に載置固定されていることを特徴とする請求項１乃至３のいずれか１項に記載の太陽電池付時計。
【請求項５】
前記第１の見返しリングの材質は、金属、プラスチックもしくはセラミックであり、前記第２の見返しリングの材質は透光性樹脂であることを特徴とする請求項１乃至４のいずれか１項に記載の太陽電池付時計。
【請求項６】
前記第１の見返しリングの上面が、前記第２の見返しリングの上面の一部を覆うように構成したことを特徴とする請求項１乃至５のいずれか１項に記載の太陽電池付時計。
【請求項７】
前記第２の見返しリングの上面が、前記第１の見返しリングの上面の一部を覆うように構成したことを特徴とする請求項１乃至６のいずれか１項に記載の太陽電池付時計。
【請求項８】
前記第２の見返しリングの外周部に略リング状に太陽電池を配設すると共に、太陽電池の受光面が、前記文字板に対して、０から９０度の角度を有して配設されていることを特徴とする請求項１乃至７のいずれか１項に記載の太陽電池付時計。
【請求項９】
前記太陽電池は、可撓性部材であることを特徴とする請求項１乃至８のいずれか１項に記載の太陽電池付時計。
【請求項１０】
前記第２の見返しリングと前記太陽電池は、接着により接合したことを特徴とする請求項１乃至９のいずれか１項に記載の太陽電池付時計。
【請求項１１】
前記第２の見返しリングと前記第１の見返しリングとの境界面、前記第２の見返しリングの底面のいずれか一方または両方に反射膜を形成したことを特徴とする請求項１乃至１０のいずれか１項に記載の太陽電池付時計。
【請求項１２】
前記第２の見返しリングに、蛍光材、光分散材、光反射材の少なくとも１つを混合したことを特徴とする請求項１乃至１１のいずれか１項に記載の太陽電池付時計。
【請求項１３】
前記第１の見返しリングと第２の見返しリングの間に、蛍光部材、光分散部材、光反射部材の少なくとも１つを配設したことを特徴とする請求項１乃至１２のいずれか１項に記載の太陽電池付時計。
【請求項１４】
前記複数の見返しリングは、３つの部材で構成され、文字板の中心から外縁部に向かって、第１の見返しリング、第２の見返しリング、第３の見返しリングの順に配設し、前記第２の見返しリングと前記第３の見返しリングの間に、太陽電池を介在させたことを特徴とする請求項１乃至１３のいずれか１項に記載の太陽電池付時計。
【請求項１５】
前記第３の見返しリングは、反射手段を有することを特徴とする請求項１４に記載の太陽電池付時計。
【請求項１６】
前記第３の見返しリングの反射手段は、金属表面であることを特徴とする請求項１４又は請求項１５に記載の太陽電池付時計。
【請求項１７】
前記第３の見返しリングの反射手段は、第３の見返しリングの表面に
設けた反射膜であることを特徴とする請求項１４又は請求項１５に記載の太陽電池付時計。
【発明の詳細な説明】
【技術分野】
【０００１】
本発明は、光エネルギーを電気エネルギーに変換して時計を駆動する太陽電池付時計に関するものである。
【背景技術】
【０００２】
従来の太陽電池付時計の一般的な構造は、多くの発電効率を得るために、文字板の裏面に太陽電池を配置していた。文字板は太陽光を透過させるため、少なくとも半透過性であることが必要であり、材料が限定されると同時に、文字板を通して太陽電池本来の濃紫色の色調が視認され、外観品質を損なうという問題があった。また、文字板の下に日板、曜板を配設するカレンダー時計においては、文字板と日板、曜板の間に太陽電池を配設するために曜、日の視認性も極めて悪く、発電効率への影響を考慮すると日窓、曜窓の位置に自由度がないものとなっていた。
【０００３】
しかし、これらの問題点に鑑みて成された太陽電池付時計の構造として、風防ガラスと文字板との間の隙間に、文字板の外周周縁に位置する見返しリングの外周部に直立したリング状の太陽電池を配設した構造のものが既に下記の特許文献１に開示されている。
【０００４】
【特許文献１】特開２００１−３０５２４９号公報
【０００５】
上記した特許文献１に開示された太陽電池付時計を図１２〜図１４を用いて簡単に説明する。ここで、図１２は上記の特許文献１に示された太陽電池付時計の平面図、図１３は図１２における太陽電池付時計の要部断面図、図１４は図１３におけるＡ部の拡大断面図を示している。図１２、図１３において、１は透明な風防ガラス、２はリング状の太陽電池、３は透光性の見返しリング、４は指針、５は文字板、５ａは文字板５に設けられた時字、６は指針を駆動するムーブメント、７は時計ケースを示している。
【０００６】
これから、風防ガラス１と文字板５との間の隙間で、文字板５の外周周縁に位置する透光性の見返しリング３の外周部に、文字板１に対して直立したリング状の太陽電池２を配設した構造を取っている。また、リング状の太陽電池２はその受光面が時計中心側に向かって配設されている。また、リング状の太陽電池２は、図１４より、フレキシブルプリント基板１０上にアルミニウム薄膜等からなる金属電極膜である第１の電極、アモルファスシリコン薄膜からなる光電変換層１２、ＩＴＯなどの透明導電膜である第２の電極１３、透明な保護膜１４を積層した構成になっている。
【０００７】
風防ガラス１を透過して見返しリング３を介して直接入射する光、文字板５の表面で反射を繰り返した光が見返しリング３を介して入射する光などを太陽電池２に導き、そこで得た光を光電変換し電流としてムーブメント内に配した二次電池に供給するようになっている。
【発明の開示】
【発明が解決しようとする課題】
【０００８】
上記のような構成を取る太陽電池付時計においては、文字板５は金属などを用いることができるので色々な装飾を施して外観的な装飾を高めることができる。しかしながら、見返しリングは、材質が透光性材料で構成されるために、太陽電池本来の濃紫色の色調が透視され、外観品質がどうしても損なわれてしまう。また同時に、見返しリングが透光性を持たせる理由で金属が使用できず、金属色の持つ重厚さや、高級感の表現が極めて困難であった。また、入射効率を上げるため、見返しリングに切分などのデザインができなくな
る等の問題があった。
【０００９】
本発明の目的は、上記の問題点を解決すると共に、従来から使用している金属材料からなる見返しリングと略同等の外観品質が得られ、且つ、時計の駆動に必要な光を太陽電池に導くことのできる太陽電池付時計を提供することにある。
【課題を解決するための手段】
【００１０】
上記課題を解決するための手段として、本発明の請求項１に記載の太陽電池付時計は、風防ガラスと文字板との間で、文字板の外周部に位置する見返しリングと、この見返しリングの外周に配設した太陽電池とを有する太陽電池付時計において、前記見返しリングは、少なくとも非透光性部材からなる第１の見返しリングと透光性部材からなる第２の見返しリングの複数の部材で構成され、前記風防ガラスは前記見返しリングの上面側に載置されて時計ケースと固定されていることを特徴とするものである。
【００１１】
また、本発明の請求項２に記載の太陽電池付時計は、前記の第２の見返しリングはその上面側外周に突出部を有し、この突出部が風防ガラスを固定する時計ケースの上面突起部の下面に当接していることを特徴とするものである。
【００１２】
また、本発明の請求項３に記載の太陽電池付時計は、前記の突出部を有する第２の見返しリングと第１の見返しリングの少なくともいずれかに、風防ガラスを載置する風防ガラス受け面を有することを特徴とするものである。
【００１３】
また、本発明の請求項４に記載の太陽電池付時計は、前記の第１の見返しリング及び第２の見返しリングは、中枠を介して固定された文字板上の外周部に載置固定されていることを特徴とするものである。
【００１４】
また、本発明の請求項５に記載の太陽電池付時計は、前記の第１の見返しリングの材質は、金属、プラスチックもしくはセラミックであり、第２の見返しリングの材質は透光性樹脂であることを特徴とするものである。
【００１５】
また、本発明の請求項６に記載の太陽電池付時計は、前記の第１の見返しリングの上面が、前記の第２の見返しリングの上面の一部を覆うように構成したことを特徴とするものである。
【００１６】
また、本発明の請求項７に記載の太陽電池付時計は、前記の第２の見返しリングの上面が、前記の第１の見返しリングの上面の一部を覆うように構成したことを特徴とするものである。
【００１７】
また、本発明の請求項８に記載の太陽電池付時計は、前記の第２の見返しリングの外周部にリング状の太陽電池を配設すると共に、太陽電池の受光面が、前記の文字板に対して、０から９０度の角度を有して配設されていることを特徴とするものである。
【００１８】
また、本発明の請求項９に記載の太陽電池付時計は、前記の太陽電池は、可撓性部材であることを特徴とするものである。
【００１９】
また、本発明の請求項１０に記載の太陽電池付時計は、前記の第２の見返しリングと太陽電池は、接着により接合したことを特徴とするものである。
【００２０】
また、本発明の請求項１１に記載の太陽電池付時計は、前記の第２の見返しリングは、前記の第１の見返しリングとの境界面および底面のいずれか一方または両方に反射膜を形
成したことを特徴とするものである。
【００２１】
また、本発明の請求項１２に記載の太陽電池付時計は、前記の第２の見返しリングは、蛍光材、光分散材、光反射材の少なくとも１つを混合したことを特徴とするものである。
【００２２】
また、本発明の請求項１３に記載の太陽電池付時計は、前記の第１の見返しリングと前記の第２の見返しリングの間に、蛍光部材、光分散部材、光反射部材の少なくとも１つを配設したことを特徴とするものである。
【００２３】
また、本発明の請求項１４に記載の太陽電池付時計は、前記の複数の見返しリングは、３つの部材で構成され、文字板の中心から外縁部に向かって、第１の見返しリング、第２の見返しリング、第３の見返しリングの順に配設し、第２の見返しリングと第３の見返しリングの間に、太陽電池を介在させたことを特徴とするものである。
【００２４】
また、本発明の請求項１５に記載の太陽電池付時計は、前記の第３の見返しリングは反射手段を有することを特徴とするものである。
【００２５】
また、本発明の請求項１６に記載の太陽電池付時計は、前記の反射手段を有する第３の見返しリングの材質は、金属であることを特徴とするものである。
【００２６】
また、本発明の請求項１７に記載の太陽電池付時計は、前記の反射手段を有する第３の見返しリングは、反射膜であることを特徴とするものである。
【発明の効果】
【００２７】
本発明の効果として、本発明の請求項１に記載の発明の下では、見返しリングを非透光性部材からなる第１の見返しリングと透光性部材からなる第２の見返しリングの複数の部材で構成している。これにより、第１の見返しリングに、請求項５に記載の如く、金属などの材料が使用できて文字板と同じような加工が施せるので、文字板と同等の外観仕上がりを得ることができる。また、見返しリングに切分のデザインなども設けることができる。そして、第２の見返しリングを、請求項５に記載の如く、透光性樹脂で形成して、この所から採光して太陽電池に発電作用を起こさせる。従って、材料として、金属，セラミック，プラスチック，石類，ガラスなど色々な材料が選択できて使用材料の選択幅が広げられる。また、その中で、金属，セラミック，プラスチックなどは自由に所望の形状に成形でき、しかも安く製作できる。
【００２８】
また、本発明の請求項１に記載の発明の下では、見返しリングが風防ガラスの載置面を構成する。これによって、風防ガラスの外周周縁部に入射した光も採光することができ、採光量を増やすことができる。この風防ガラスを載置して受ける受け面は、請求項３に記載の如く、第２の見返しリングと第１の見返しリングの何れか一方に、或いは、両方にあっても良いもので、これによって風防ガラスを受け、そして、請求項２に記載の発明、請求項４記載の発明の下で、見返しリングを確実に固定する。
【００２９】
このような構成を取ることにより、太陽電池は非透光性部材からなる第１の見返しリングの裏に隠れたようになり、太陽電池独特の色調は見えなくなる。また、第２の見返しリングから得た採光により、支障のない発電量を得ることができる。また、非透光性部材からなる第１の見返しリングを金属などで形成すると文字板と同じような装飾が施せられるので文字板と一体となった装飾時計が得られる。当然ながら、切分などを設けたデザインも可能となる。また、太陽電池を文字板上面外縁部、見返しリングの外周部に配設するものであるから、日・曜日を表示する時計にあっては文字板の直ぐ下面に配設することができ、その表示の視認性も高められる。
【００３０】
また、本発明の請求項６、及び請求項７に記載の発明の下では、デザイン的な変化が生まれる。デザインバリエーションを増やす効果を生む。
【００３１】
また、本発明の請求項８に記載の発明の下では、太陽電池の受光面が文字板面に対して０〜９０度の範囲で傾斜している。このことは、風防ガラス面に向かって傾斜して配設されている。これにより、風防ガラス方向からの直接入射光量を多く採光することができる。
【００３２】
また、本発明の請求項９に記載の発明の下では、平面形状で形成した太陽電池を立体形状に変形させることができ、前述の請求項８に記載の如く角度を持たせた配設が可能となる。
【００３３】
また、本発明の請求項１０に記載の発明の下では、第２の見返しリングと太陽電池は接着によって固定されるので、太陽電池が振動などによって移動することがなくなり、安定した位置状態で保持される。このことは、絶えず一定の安定した光電変換が得られることになり、変換効率を一定の状態に保持することになる。
【００３４】
また、本発明の請求項１１に記載の発明の下では、反射膜を設けることで、太陽電池以外の部品での吸収光や逃げる光などが少なくなり、多くの光量を太陽電池に照射することができる。
【００３５】
また、本発明の請求項１２並びに請求項１２に記載の発明の下では、蛍光材は外光の光を受けて発光するので、その発光した光が太陽電池に照射するので外光以外の光も得られる。また、光分散材で光を分散させることによって、逃げる光や太陽電池以外の部品での吸収光を少なくする。それだけ多くの光量が太陽電池に照射する。光反射部材も同様な効果を得る。また、請求項１３に記載の如く、蛍光部材や光分散部材、光反射部材を第１の見返しリングと第２の見返しリングの間に設けることによっても同様な効果を得る。
【００３６】
また、請求項１４に記載の如く、第３の見返しリングを設け、第２の見返しリングと第３の見返しリングの間に太陽電池を配設し、そして、請求項１５に記載の如く、第３の見返しリングに反射手段を持たせれば、太陽電池の裏側に逃げた光などもその反射手段によって太陽電池の受光面側に再帰させることができる。光の利用効率を高める効果を得る。
【００３７】
そして、その反射手段として、請求項１６並びに請求項１７に記載の如く、反射率の高い金属を用いる。また、反射率の高い反射膜を形成することにより、安いコストで形成できるメリットがある。
【００３８】
以上述べたことにより、太陽電池本来の濃紫色の色調が透視されないで、光の入射効率を上げ発電効率をアップし、デザイン性に優れた太陽電池付時計が提供できる。更にまた、太陽電池を文字板上面外縁部に配設したことで、日・曜日を表示する時計にあっては文字板の直ぐ下面に配設することができ、その視認性も高められる。
【発明を実施するための最良の形態】
【００３９】
以下、本発明の最良の実施形態を図をもって説明する。図１は本発明の第１実施形態に係る太陽電池付時計の要部断面図を示しており、図２は図１におけるＢ部の拡大断面図を示している。尚、図１は本発明の太陽電池付時計の構成が良く分かるようにするために風防ガラスと文字板との隙間を大きく取って少し誇張して描いてある。また、図３は本発明の第２実施形態に係る太陽電池付時計の見返しリングと太陽電池との要部拡大断面図、図４は本発明の第３実施形態に係る太陽電池付時計の見返しリングと太陽電池との要部拡大
断面図、図５は本発明の第４実施形態に係る太陽電池付時計の見返しリングと太陽電池との要部拡大断面図、図６は本発明の第５実施形態に係る太陽電池付時計の見返しリングと太陽電池との要部拡大断面図、図７は本発明の第６実施形態に係る太陽電池付時計の見返しリングと太陽電池との要部拡大断面図、図８は本発明の第７実施形態に係る太陽電池付時計の見返しリングと太陽電池との要部拡大断面図、図９は本発明の第８実施形態に係る太陽電池付時計の見返しリングと太陽電池との要部拡大断面図、図１０は本発明の第９実施形態に係る太陽電池付時計の見返しリングと太陽電池との要部拡大断面図、図１１は本発明の第１０実施形態に係る太陽電池付時計の見返しリングと太陽電池との要部拡大断面図を示している。
【００４０】
本発明の第１実施形態の太陽電池付時計２０は、図１に示すように、時計ケース２７の内部に文字板２５、ムーブメント２６が中枠２９を介して固定されている。また、文字板２５の外周周縁には、内側から第１の見返しリング３３、次に、第２の見返しリング３４、そして、この第２の見返しリングの外側に太陽電池３２が設けられている。そして、これらの構成部品を封止するようにして表面側に風防ガラス２１が防水パッキン２２を介して時計ケース２７に取り付けられ、裏面側に裏蓋２８が時計ケース２７に取れ付けられた構成になっている。また、文字板２５の上面側にはムーブメント２６から突出した指針軸に時針や分針などの指針２４が取り付いた構成になっている。ここで、第１の見返しリング３３、第２の見返しリング３４及び太陽電池３２の取付け構造については図２を用いて詳しく説明する。尚、図示はしていないが、文字板２５は金属で形成されていて、上面側には模様や表面処理などが施されて時字などの指標が設けられたものとなっている。
【００４１】
図２より、本発明の見返しリングは２つの部材からなっていて、金属からなる第１の見返しリング３３と透明なプラスチックからなる第２の見返しリング３４とが接着剤などを介して接合したものからなっている。そして、透明な第２の見返しリング３４の外側に太陽電池３２を配設した構造を取る。この第１の見返しリング３３、第２の見返しリング３４、及び太陽電池３２は文字板２５と風防ガラス２１との間に挟まれて、内側から第１の見返しリング３３、次に、第２の見返しリング３４、そして、この第２の見返しリング３４の外側に太陽電池３２を文字板２５の外周周縁に配設した構造を取っている。尚、図２の中では省略してあるが、文字板２５、太陽電池３２は中枠２９を介して時計ケース２７に固定された状態になっている（図１参照）。
【００４２】
金属からなる第１の見返しリング３３は、黄銅材やステンレス材などを用いて切削加工方法などで形成し、その上に塗装やメッキなどの表面処理も施してあり、図示はしていないが、切分などの目盛り表示も設けられている。この第１の見返しリング３３は、本実施形態では金属で形成したが、特に金属に限定するものではなく、非透光性の部材で表面処理などが施せるものであれば良く、例えば、透光性を有しないセラミック材やプラスチック材などを用いて成型方法で形成しても良い。これらは安いコストで成形ができる。また、透光性を有しない石類やガラス材でも利用できるが、成形加工面を考えるとコスト的には高くなる。この第１の見返しリング３３は、内周面は逆円錐状の斜面３３ａを有し、外周面は階段状に段部３３ｂが形成されたデンプル形状を取っている。
【００４３】
透明なプラスチックからなる第２の見返しリング３４は、ポリカーボネイト、ポリエーテルサルフォン、環状非昌質ポリオレフィン、アクリルなどの透明な樹脂からなり、内周面は階段状の段部３４ａを設けたデンプル形状になっている。この段部３４ａの形状は前述の第１の見返しリング３３の外周面に設けた段部３３ｂと同一形状に形成してある。また、上面３４ｃは光を採光する採光面になっていて、その上面３４ｃ側外周には突出部３４ｆが設けられていており、この突出部３４ｆの先端側が時計ケース２７の上面突起部２７ａの下面に当接している。時計ケース２７の上面突起部２７ａは防水パッキン２２を介して風防ガラス２１を固定するようになっている。従って、上面３４ｃは採光面になって
いると共に、風防ガラス２１や防水パッキン２２を載置する受け面にもなっている。この第２の見返しリング３４は、第１の見返しリング３の外周面に形成された階段状の段部３ｂと係合し、上面３４ｃ側の突出部３４ｆで時計ケース２７の上面突起部３７ａと係合し、外周面３４ｂで太陽電池３２と係合して文字板２５の上面に配置される。この第２の見返しリング３４は第１の見返しリング３３と紫外線硬化型の接着剤などで接合されていて、更に、第２の見返しリング３４の外周面３４ｂは太陽電池３２の受光面３２ａと紫外線硬化型の接着剤などで接合されている。本実施形態においては、第２の見返しリング３４には透明なプラスチック材を用いたが、特にプラスチック材に限定するものではなく、例えば透光性のあるガラス材、セラミック材、石類などでも良く、透光性を有する材料であれば適用できるものである。また、太陽電池３２の発電機能に影響を与えない範囲であるならば着色が施されたものであっても良い。この第２の見返しリング３４は第１の見返しリング３３の外側にあって表面からは余り目立たない所に配される。このことを考えると成形コストの安いプラスチック材が好適なものとして選択できよう。
【００４４】
太陽電池３２は、前述の背景技術で説明した構成を取っており、厚みが１００〜１５０μｍの範囲に形成されているので可撓性を持っている。平面状に形成したものを湾曲させてリング状に成形し、第２の見返しリング３４の外側に、その受光面３２ａが文字板２５に対して直角になるように配設する。そして、その受光面３２ａが第２の見返しリング３４の外周面３４ｂと紫外線硬化型の接着剤などで接合している。
【００４５】
第２の見返しリング３４と太陽電池３２を接着することで、接着しない場合と比較して、発電効率が相当向上することが確認されている。更にまた、第１の見返しリング３３と第２の見返しリング３３を階段状にして接着することで更に発電効率が向上することが確認されている。尚、接着剤は紫外線硬化型に限るものではなく、例えば熱硬化型のものなどを使用しても同じ効果が得られるので特に接着剤の種類に限定はない。また、粘着剤を使用しても良いことは言うまでもない。しかしながら、使用する接着剤や粘着剤は光学的劣化の少ないものが望ましい。また、第２の見返しリング３４と太陽電池３２の接着と、第１の見返しリング３３と第２の見返しリング３４の接着は、部分的な接着のみでも時計を携帯する上での発電効率には何ら問題ない。また、第１の見返しリング３３と第２の見返しリング３４との接合はカシメなどの接合方法を用いても良い。
【００４６】
文字板２５、太陽電池３２は中枠２９を介して時計ケース２７内で上方に押しつけられるようにして固定される。これにより、文字板２５面上に載置した第２の見返しリング３４も上方に押しつけられ、上面３４ｃ側の突出部３４ｆが時計ケース２７の上面突起部２７ａに当接して第２の見返しリング３４が固定される。
【００４７】
上記の構成を取る太陽電池付時計２０は、風防ガラス２１を介して第２の見返しリング３４の上面３４ｃ（採光面）より入射する光Ｌ１、Ｌ２を利用して太陽電池３２に発電機能を起こさせる。採光面は風防ガラス２１の載置受け面にもなっている。このような構成を取ると風防ガラス２１の外周縁部から入射する光を全部採光することができる。そして、多くの光量を採光することができる。採光面より入射した光は金属からなる第１の見返しリング３３と文字板２５との間に挟まれた第２の見返しリング３４内に閉じこめられる。第１の見返しリング３３と第２の見返しリング３４との間に設けた段部形状がプリズム的な分散・反射機能を果たし、効率よく多くの光量を太陽電池３２の受光面３２ａに入射させる。本実施形態においては、階段状の段部形状を取ったが、これは階段状の段部形状に限るものではなく、太陽電池３２の受光面３２ａに多くの光量が入射する形状であれば、どの様な形状であっても良い。また、光の採光は第２の見返しリング３４の上面３４ｃから採光する。この上面３４ｃの採光面の幅とその面積が太陽電池３２に所要の発電量を起こさせるのに重要な影響を及ぼす。この上面３４ｃの幅は略１〜３ｍｍの範囲に設定する。この幅であると男持ちの時計でも１５〜４５％の光量が得られる。近年の太陽電池は
変換効率が非常に良くなり、１５％の光量で十分満足な発電量が得られるのが現れてきている。ただこの場合に、上面３４ｃの幅が２ｍｍ近くなってくると、第１の見返しリング３３との色合い違いなどにより、外観的に目立って見えてくるようになる。従って、第２の見返しリング３４が配される部分の文字板２５の面に第１の見返しリング３３と同一色の塗膜などを設けると良い。このようにすると、第２の見返しリング３４に第１の見返しリング３３と同じ色が視認されてくるので、一見して全く分からず、殆ど目立たなくなる。また、太陽電池３２は第１の見返しリング３３や防水パッキン２２、時計ケース２７の突起部２７ａの中に隠れて上面側からは殆ど見えない。従って、太陽電池３２の濃紫色は殆ど視認されない。
【００４８】
また、上記の構成を取る太陽電池付時計２０は、文字板２５と併せて第１の見返しリング３３を金属で形成している。表面の模様加工や各種の表面処理を施すことができ、色々な装飾を施し、文字板２５と同質感を持たせた高級感のある時計に仕立てることができる。また、第１の見返しリング３３の斜面部３３ａに切分表示などを設けるデザインも可能となる。また、日・曜日付の時計にあっては、文字板２５のすぐ下に日板、曜板が配設できるため、日・曜日の視認性も格段と向上させることができる。
【００４９】
尚、本実施形態においては、第２の見返しリング３４の上面３４ｃが風防ガラス２１の載置受け面にもなっている。この第２の見返しリング３４と接着される第１の見返しリング３３の高さは第２の見返しリング３４の高さと同じに設計するので、第１の見返しリング３３の上面も風防ガラス２１の受け面として作用してくる。また、製作上の寸法的なバラツキにより第１の見返しリング３３の上面が風防ガラス２１の受け面として作用しても機能上の支障は殆ど生じない。また、太陽電池３２は、図示していないがモジュール２６と導通が取られている。
【００５０】
次に、本発明の第２実施形態に係る太陽電池付時計について図３を用いて説明する。尚、本発明は見返しリングと太陽電池との構成に関する発明が主体である。従って、前述の図１で示したＡ部の所の構成の違いが主であるので、時計全体の構成の図は省略して、Ａ部の所の違いとなる構成の拡大図をもって以降の実施形態を説明する。ここで、図３は本発明の第２実施形態に係る太陽電池付時計の見返しリングと太陽電池との要部拡大断面図を示している。尚、前述の図２と同様に中枠の部分は省略してある。また、以降の実施形態の説明図においても中枠は省略して説明する。
【００５１】
本発明の第２実施形態に係る太陽電池時計の見返しリングと太陽電池との構成は、図３に示すように、文字板２５の上面外周周縁にあって、内側に金属から成る第１の見返しリング４３、次に、透明なプラスチックからなる第２の見返しリング４４、この第２の見返しリング４４の外周に太陽電池３２を配設した構成を取っている。そして、ここでの見返しリングも第１の見返しリング４３と第２の見返しリング４４とから構成している。この構成は前述の第１実施形態の構成と同じ構成を取るものであるが、第１実施形態の構成と異なるところは、第２の見返しリング４４の採光面が上面４４ｃ以外に、第１の見返しリング４３の下面側にあって、文字板２５と当接している内周側の側面４４ｄ（図中左側面）も採光面として設けているところが異なっている。それ以外のところにおける構成は前述の第１実施形態と同じ構成を取っている。このように、第２の見返しリング４４は内周側に突出した側面４４ｄを持っており、上面４４ｃ以外にもその側面４４ｄからも採光できるようになっている。そして、この突出した側面４４ｄは真上から見れば金属からなる第１の見返しリング４３の影に隠れて見えない。
【００５２】
上記の構成を取ることによって、透明な第２の見返しリング４４には上面４４ｃから入る光Ｌ３と、側面４４ｄから入る光Ｌ４の両方を取り入れることができる。それだけ採光する光量が多くなって太陽電池４２の発電効率を高める効果を得る。突出した側面４４ｄ
からは主に文字板２５からの反射光が採光されるが、それ以外に外部からの直接光なども入射する。この構成は第２の見返しリング４４の上面４４ｃと側面４４ｄの両面から採光することができるので、その分太陽電池３２の受光面３２ａに入射できる光量を多く取れる。従って、上面４４ｃの幅を少し狭くすることもできる。狭くすることによってその分採光量が減ることにはなるが、上面４４ｃの採光面が外観的に殆ど目立たなくなるので時計としての外観性能が高まる。
【００５３】
尚、本実施形態の構成は第１の見返しリング４３と第２の見返しリング４４の形状が変わるだけで、使用している材料などの仕様は前述の第１実施形態と同じものを使用している。また、第１の見返しリング４３と第２の見返しリング４４との接合も接着剤を介して行っている。また、太陽電池３２も前述の第１実施形態のものと同じものを使用して、これも接着剤を介して第２の見返しリング４４と接合している。従って、同じ仕様を取るところの構成の説明はここでは省略する。
【００５４】
このような構成を取ることにより、前述の第１実施形態の構成と比べると、採光する光量が多くなるので太陽電池の発電効率は前述の第１実施形態のものより高い発電効率が得られる。また、その他の効果においても前述の第１実施形態のものと同じ効果を得ることは云うまでもない。また、この構成の場合においても第１の見返しリング４３の斜面４３ａに切分の目盛りを形成することができる。前述の第１実施形態の構成における切分目盛りと何ら遜色のない外観仕上がりを得ることができる。
【００５５】
次に、本発明の第３実施形態に係る太陽電池付時計の見返しリングと太陽電池との構成を図４を用いて説明する。図４は本発明の第３実施形態に係る太陽電池付時計の見返しリングと太陽電池との要部拡大断面図を示したものである。本発明の第３実施形態に係る太陽電池付時計の見返しリングと太陽電池との構成で前述の図２を用いて説明した第１実施形態の構成と比較して異なるところは、第２の見返しリング３４と第１の見返しリング３３との境界面である段部に反射膜５５を設けたところのみが異なる。反射膜５５としては、例えば、アルミニウム、銀、プラチナ、金など可視光域での光に対して反射率の高い金属薄膜を設ける。これは、金属からなる第１の見返しリング３３の段部３３ｂに上記の高反射率の金属メッキを施して形成しても良く、或いはまた、第２の見返しリング３４の段部３４ａに蒸着方法で高反射率の金属蒸着膜を形成しても良い。何れか一方に形成して接着剤を介して接合することによって本発明の構成が得られる。
【００５６】
この様な構成を取ることにより、第２の見返しリング３４で採光した光を反射膜５５により反射させて、効率良く太陽電池３２の受光面３２ａに入射させることができる。尚、本実施形態においては、反射膜５５を第２の見返しリング３４と第１の見返しリング３３との境界面である段部に設けたが、第１の見返しリング３３に反射率の高い材料を用いているとか、反射率の高い表面処理が施されていると云う場合には第２の見返しリング３４の底面にのみ反射膜を設けても良い。また、境界面の段部、及び底面の両方に反射膜を設けても良い。
【００５７】
次に、本発明の第４実施形態に係る太陽電池付時計の見返しリングと太陽電池との構成を図５を用いて説明する。図５は本発明の第４実施形態に係る太陽電池付時計の見返しリングと太陽電池との要部拡大断面図を示したものである。本発明の第４実施形態に係る太陽電池付時計の見返しリングと太陽電池との構成は、前述の図３を用いて説明した第２実施形態の構成と比較して、第２の見返しリングに蛍光材を分散させたものを用いていること、第１の見返しリングと第２の見返しリングとの階段状の境界面、及び第２の見返しリングの底面に反射膜を設けていることの違いを持っている。それ以外の構成は前述の第２実施形態のものと同じ構成を取っている。
【００５８】
図５より、第２の見返しリング６４は蛍光材６５が分散したものから成っている。プラスチック材と蛍光材を混ぜ合わせてペレット化し、このペレット化した材料を用いて射出成形方法で第２の見返しリング６４を形成する。また、第１の見返しリング４３の段部４３ｂと第２の見返しリング６４の段部６４ａとの境界面、並びに、第２の見返しリング６４の底面に反射膜５５を設けている。この反射膜５５は前述の第３実施形態で用いた反射膜と同じ仕様のもの、即ち、アルミニウム、銀、プラチナ、金など可視光域での光に対して反射率の高い金属薄膜を用いている。
【００５９】
このような構成を取ることによって、第２の見返しリング６４の上面６４ｃから入射した光Ｌ３や側面６４ｄから入射した光Ｌ４が蛍光材６５に当たり蛍光材６５が発光する。この発光した光が太陽電池３２の受光面３２ａに入射する。また、発光した光が階段状の段部に設けた反射膜５５、或いは、第２の見返しリング６４の底面に設けた反射膜５５によって反射され、その反射した反射光が受光面６２ａに入射する。この構成は、蛍光材６５によって発光した光と外部から入射した光とが混合しあって太陽電池６２の受光面３２ａに入射する。得られる光量が多くなり太陽電池６２の発電効率は非常に高められる。
【００６０】
本実施形態においては蛍光材を用いたが、蛍光材に代えて酸化シリコンなどの光分散材、酸化チタンなどの光反射材などを用いても良い。或いは、これらを混ぜ合わせて用いても良い。外からの入射光Ｌ３、Ｌ４が光分散材や光反射材などの微粒子によって散乱され、この散乱した光、更には反射膜５５によって散乱反射した光が太陽電池３２の受光面３２ａに入射する。多くの光量を得、効率の良い光電変換が得られる。
【００６１】
次に、本発明の第５実施形態に係る太陽電池付時計の見返しリングと太陽電池との構成を図６を用いて説明する。図６は本発明の第５実施形態に係る太陽電池付時計の見返しリングと太陽電池との要部拡大断面図を示したものである。本発明の第５実施形態に係る太陽電池付時計の見返しリングと太陽電池との構成は、前述の図３を用いて説明した第２実施形態の構成と比較して、第１の見返しリングと第２の見返しリングとの階段状の段部境界面に蛍光部材を配設したところの構成のみが異なり、他のところの構成は前述の第２実施形態の構成と同じ構成を取る。
【００６２】
本実施形態における見返しリングと太陽電池との構成は、図６より、第１の見返しリング４３の段部４３ｂと第２の見返しリング４４の段部４４ａとの境界面に蛍光部材６６を設けている。この蛍光部材６６は、蛍光材を透明なエポキシ樹脂などの樹脂接着剤に混ぜ合わせ、吹き付け塗装方法などにより塗布して形成した塗料膜である。これは、第１の見返しリング４３の段部４３ｂ、もしくは、第２の見返しリング４４の段部４４ａの何れか一方に蛍光部材６６を設け、両者を接合することによって本発明の構成が得られる。段部に入射した光は蛍光部材６６の蛍光材に入射して蛍光材を発光させる。この発光した光が放射して太陽電池３２の受光面３２ａに入射する。外部からの入射光のみならず蛍光材の発光した光も利用できるので太陽電池３２の発電効率を高める効果を得る。
【００６３】
尚、本実施形態においては、蛍光部材を用いたが、蛍光部材に代えて光分散材を配合した塗料膜や光反射材を配合した塗料膜を用いても良い。或いは、蛍光材や分散材、反射材などを混ぜ合わせた塗料膜を用いても良い。何れも発電効率を高める効果を生む。
【００６４】
次に、本発明の第６実施形態に係る太陽電池付時計の見返しリングと太陽電池との構成を図７を用いて説明する。図７は本発明の第６実施形態に係る太陽電池付時計の見返しリングと太陽電池との要部拡大断面図を示したものである。本発明の第６実施形態に係る太陽電池付時計の見返しリングと太陽電池との構成は、前述の図３を用いて説明した第２実施形態の構成に対して、第１の見返しリングの上面が第２の見返しリングの上面の一部を覆うようにオーバーハング部を設けた形状を取っていること、また、第１の見返しリング
と第２の見返しリングとの階段状の段部境界面、及び第２の見返しリングの底面に反射膜を設けていること、の違いを持っている。それ以外の構成は前述の第２実施形態のものと同じ構成を取っている。
【００６５】
本実施形態における見返しリングと太陽電池との構成は、図７より、第１の見返しリング７３の上面が少し出っ張ったオーバーハング部７３ｄを持っており、そのオーバーハング部７３ｄが第２の見返しリング７４の上面７４ｃの一部を覆う形状を取っている。このオーバーハング量は太陽電池３２の発電量に支障のない範囲内で設計される。また、第１の見返しリング７３の階段状の段部７３ｂと第２の見返しリング７４の階段状の段部７４ａの境界面、及び第２の見返しリング７４の底面に反射膜５５を設けている。この反射膜５５は、前述の第３実施形態で用いた反射膜と同じ仕様のもの、即ち、アルミニウム、銀、プラチナ、金など可視光域での光に対して反射率の高い金属薄膜を用いている。
【００６６】
このような構成を取ることにより、見返しリング部のデザインに変化をもたすことができる。
【００６７】
次に、本発明の第７実施形態に係る太陽電池付時計の見返しリングと太陽電池との構成を図８を用いて説明する。図８は本発明の第７実施形態に係る太陽電池付時計の見返しリングと太陽電池との要部拡大断面図を示したものである。本発明の第７実施形態に係る太陽電池付時計の見返しリングと太陽電池との構成は、前述の図３を用いて説明した第２実施形態の構成に対して、第２の見返しリングの上面が第１の見返しリングの逆円錐状の斜面の一部に張り出した張り出し部を設けた形状を取っていること、また、第１の見返しリングと第２の見返しリングとの階段状の段部の境界面、及び第２の見返しリングの底面に反射膜を設けていること、の違いを持っている。それ以外の構成は前述の第２実施形態のものと同じ構成を取っている。
【００６８】
本実施形態の見返しリングと太陽電池との構成は、図８に示すように、第２の見返しリング８４の上面８４ｃが第１の見返しリング８３の逆円錐状の斜面８３ａの上側一部に張り出した張り出し部８４ｅを設けた形状を取っている。また、第１の見返しリング８３の階段状の段部８３ｂと第２の見返しリング８４の階段状の段部８４aの境界面、及び第２の見返しリング８４の底面に反射膜５５を設けている。この反射膜５５は、前述の第３実施形態で用いた反射膜と同じ仕様のもの、即ち、アルミニウム、銀、プラチナ、金など可視光域での光に対して反射率の高い金属薄膜を用いている。
【００６９】
このような構成にすることにより、見返しリング部のデザインに変化をもたらし、新たなデサインバリエーションを増すことができる。また、張り出し部８４ｅからも光が入射するので採光量を増やすことができる。
【００７０】
次に、本発明の第８実施形態に係る太陽電池付時計の見返しリングと太陽電池との構成を図９を用いて説明する。図９は本発明の第８実施形態に係る太陽電池付時計の見返しリングと太陽電池との要部拡大断面図を示したものである。本発明の第８実施形態に係る太陽電池付時計の見返しリングと太陽電池との構成は、前述の図３を用いて説明した第２実施形態の構成に対して、第１の見返しリングと第２の見返しリングとの階段状の境界面、及び第２の見返しリングの底面に反射膜を設けていること、更に、太陽電池の裏面側に反射手段を有する第３の見返しリングを設けたところのみが異なっている。、それ以外の構成は前述の第２実施形態のものと同じ構成を取っている。
【００７１】
本実施形態の見返しリングと太陽電池との構成は、図９に示すように、第１の見返しリング４３の階段状の段部４３ｂと第２の見返しリング４４の階段状の段部４４aとの境界面、及び第２の見返しリング４４の底面に反射膜５５を設けている。更に、太陽電池３２
の裏面に反射手段を有する第３の見返しリング４５を設けた構成を取る。従って、文字板２５の中心に向かって、内側に第１の見返しリング４３、次に、第２の見返しリング４４、太陽電池３２、一番外側に第３の見返しリング４５が並んだ構成を取っている。云い替えれば第２の見返しリング４４と第３の見返しリング４５との間に太陽電池３２を挟設した構成になっている。この第３の見返しリング４５は反射手段を有していて、太陽電池３２の裏面側に回り込んだ光を太陽電池３２の受光面３２ａ側に反射させるために設けているる。従って、この第３の見返しリングは、反射手段を有するものであるなら材質には特に制限はなく、金属でも樹脂でも良い。また、透過性の材料や、反射率の低い材料であっても反射膜を形成してあれば適用できる。
【００７２】
第３の見返しリング４５に持たせる反射手段としては、金属または金属膜を形成した反射板や反射塗料膜を形成した反射板などを選択することができる。金属又は金属膜としてはアルミニウム、銀、プラチナ、金など可視光域での光に対して反射率の高いものをが良い。これらはメッキを施すことによって容易に、しかも、安価に調達できる。また、蒸着方法などでも容易に形成できる。この反射板は鏡面であるのが良い。また、反射塗料膜としては白色塗料膜などは安価に形成できるので好適に選ばれる。この第３の見返しリング４５は太陽電池３２に接着剤を介して固定して使用するのが良い。一方、第１の見返しリング４３と第２の見返しリング４４との段部の境界面、及び第２の見返しリング４４の底面に設ける反射膜５５は、前述の第３実施形態で用いた反射膜と同じ仕様のもの、即ち、アルミニウム、銀、プラチナ、金など可視光域での光に対して反射率の高い金属薄膜を用いている。
【００７３】
このような構成を取ることによって、太陽電池３２の裏面側に回り込む光を第３の見返しリング４５で反射させて太陽電池３２の受光面３２ａ側に戻ってくるので、漏れていく光量が少なくなり、採光した光を効率よく利用することができる。
【００７４】
次に、本発明の第９実施形態に係る太陽電池付時計の見返しリングと太陽電池との構成を図１０を用いて説明する。図１０は本発明の第９実施形態に係る太陽電池付時計の見返しリングと太陽電池との要部拡大断面図を示したものである。本発明の第９実施形態に係る太陽電池付時計の見返しリングと太陽電池との構成は、前述の図３を用いて説明した第２実施形態の構成に対して、第１の見返しリングと第２の見返しリングとの階段状の境界面、及び第２の見返しリングの底面に反射膜を設けていること、更に、太陽電池を傾けて配設しているところの構成が前述の第２実施形態の構成と異なるところである。それ以外の構成は前述の第２実施形態のものと同じ構成を取っている。
【００７５】
本実施形態の見返しリングと太陽電池との構成は、図１０に示すように、第１の見返しリング４３の階段状の段部４３ｂと第２の見返しリング４４の階段状の段部４４aとの境界面、及び第２の見返しリング４４の底面に反射膜５５を設けている。この反射膜５５は、前述の第３実施形態で用いた反射膜と同じ仕様のもの、即ち、アルミニウム、銀、プラチナ、金など可視光域での光に対して反射率の高い金属薄膜を用いている。また、太陽電池４２は文字板２５に対して少し傾けて配設している。尚、この傾いた太陽電池４２は第２の見返しリング４４とは少し離れて固定されている。傾ける角度θは０〜９０°の範囲の中で設計することができ、θの角度が大きくなると第１の見返しリング４３や第２の見返しリング４４の高さを小さくすることができるので薄型化が可能となってくる。この傾ける方向は太陽電池４２の受光面４２ａが風防ガラス２１の方に向くように傾ける。太陽電池４２は比較的薄く可撓性を持っているので、平面状に形成した後、上記のような傾きの持った形状に成形して使用する。
【００７６】
このような構成を取ることによって、第２の見返しリング４４の上面４４ｃから入射した光が直接太陽電池４２の受光面４２ａに入射し易くなる。また、第２の見返しリング４
４内で散乱・反射する光も太陽電池４２の受光面４２ａに取り入れ易くなって入射光を増すことができる。また、併せて薄型化なども可能になる。
【００７７】
次に、本発明の第１０実施形態に係る太陽電池付時計の見返しリングと太陽電池との構成を図１１を用いて説明する。図１１は本発明の第１０実施形態に係る太陽電池付時計の見返しリングと太陽電池との要部拡大断面図を示したものである。本発明の第１０実施形態に係る太陽電池付時計の見返しリングと太陽電池との構成は、前述の図３を用いて説明した第２実施形態の構成に対して、第１の見返しリングと第２の見返しリングとの階段状の境界面、及び第２の見返しリングの底面に反射膜を設けていること、更に、第２の見返しリング９４の上面９４ｃ側の外周には突出部を設けいないことが相違していて、第２の見返しリング９４の外周面９４ｂが時計ケース３７の上面突起部３７ａの内周側面に当接する構成を取っている。それ以外の構成は前述の第２実施形態のものと同じ構成を取っている。
【００７８】
本実施形態における第１の見返しリング４３と第２の見返しリング９４は文字板２５と風防ガラス２１に挟まれて固定する構造を取っている。風防ガラス２１は防水パッキン２２を介してかなり強固に時計ケース３７に固定されているので、第１の見返しリング４３や第２の見返しリング９４からの力の影響を受けて時計ケース３７から離脱することは殆ど起きない。また、第２の見返しリング９４を文字板２５に接着固定して、風防ガラス２１に力が加わることを防止することもできる。
【００７９】
以上本発明の太陽電池付時計の見返しリングと太陽電池との構成を詳細に説明した。全ての実施形態ににおいて、第１の見返しリングの材質は、金属に限らずデザイン性、加工性を考慮して、プラスティック材料やセラミック材料で構成しても良く、より見返しリング部のデザインバリエーションを増すことができる。また、風防ガラスを直接第２の見返しリングに載置する構成を取ることにより、より多くの外光を採光することができるので太陽電池の発電効率を高めることができる。
【００８０】
また、上記で説明した各実施形態に限らず色々な構成の組み合わせも可能で、組み合わせ可能なものは適宜に組合せして使用すると良い。また、時計ケースや見返しリングの形状にも制限はなく、これらの形状に合わせて太陽電池を配設すればよい。さらに、時計を携帯する上での発電効率に問題がなければ、太陽電池を第２の見返しリングの外周部の一部にのみ配置するだけでも問題ないことは言うまでもない。
【００８１】
以上述べた太陽電池付時計は、太陽電池本来の濃紫色の色調が透視されず、金属の見返しリングは高級感を向上させると同時に、切分などのデザインができ、透光性樹脂の見返しリングは導光機能を持って太陽電池に十分な発電機能を与える。そして、デザイン性に優れた太陽電池付時計を提供することができる。また、太陽電池を文字板の上面外周縁部に配設したことで日・曜日付の時計にあっては、日板、曜日板を文字板の直ぐ下面に配設することができ、その視認性を高めることができる。
【図面の簡単な説明】
【００８２】
【図１】本発明の第１実施形態に係る太陽電池付時計の要部断面図である。
【図２】図１におけるＢ部の拡大断面図である。
【図３】本発明の第２実施形態に係る太陽電池付時計の見返しリングと太陽電池との要部拡大断面図である。
【図４】本発明の第３実施形態に係る太陽電池付時計の見返しリングと太陽電池との要部拡大断面図である。
【図５】本発明の第４実施形態に係る太陽電池付時計の見返しリングと太陽電池との要部拡大断面図である。
【図６】本発明の第５実施形態に係る太陽電池付時計の見返しリングと太陽電池との要部拡大断面図である。
【図７】本発明の第６実施形態に係る太陽電池付時計の見返しリングと太陽電池との要部拡大断面図である。
【図８】本発明の第７実施形態に係る太陽電池付時計の見返しリングと太陽電池との要部拡大断面図である。
【図９】本発明の第８実施形態に係る太陽電池付時計の見返しリングと太陽電池との要部拡大断面図である。
【図１０】本発明の第９実施形態に係る太陽電池付時計の見返しリングと太陽電池との要部拡大断面図である。
【図１１】本発明の第１０実施形態に係る太陽電池付時計の見返しリングと太陽電池との要部拡大断面図である。
【図１２】上記の特許文献１に示されたところの太陽電池付時計の平面図である。
【図１３】図１２における太陽電池付時計の要部断面図断面図である。
【図１４】図１３におけるＡ部の拡大断面図である。
【符号の説明】
【００８３】
２０      太陽電池付時計
２１      風防ガラス
２４      指針
２５      文字板
２６      ムーブメント
２７、３７      時計ケース
２７ａ、３７ａ  突起部
２８      裏蓋
２９      中枠
３２、４２          太陽電池
３２ａ、４２ａ      受光面
３３、４３、７３    第１の見返しリング
３３ａ、４３ａ      斜面
３３ｂ、４３ｂ、７３ｂ 段部
７３ｄ オーバーハング部
３４、４４、６４、７４、８４、９４      第２の見返しリング
３４ａ、４４ａ、６４ａ、７４ａ、８４ａ、９４ａ    段部
３４ｂ、４４ｂ、９４ｂ    外周面
３４ｃ、４４ｃ、６４ｃ、７４ｃ、８４ｃ、９４ｃ    上面
４４ｄ、６４ｄ、７４ｄ 、８４ｄ、９４ｄ 側面
３４ｆ、４４ｆ      突出部
４５      第３の見返しリング
５５      反射膜
６５      蛍光材
６６ 蛍光部材
８４ｅ 張り出し部
【図１】
2005249719.tif 000003
【図２】
2005249719.tif 000004
【図３】
2005249719.tif 000005
【図４】
2005249719.tif 000006
【図５】
2005249719.tif 000007
【図６】
2005249719.tif 000008
【図７】
2005249719.tif 000009
【図８】
2005249719.tif 000010
【図９】
2005249719.tif 000011
【図１０】
2005249719.tif 000012
【図１１】
2005249719.tif 000013
【図１２】
2005249719.tif 000014
【図１３】
2005249719.tif 000015
【図１４】
2005249719.tif 000016